【事件の表示】
　平成　７年特許願第　１４０８１号「写真焼付装置」拒絶査定に対する審判事件［平成　８年　８月　９日出願公開、特開平　８−２０１９２６］について、次のとおり審決する。
【結　論】
　本件審判の請求は、成り立たない。
【理　由】
　
【１】手続の経緯、本願発明
　
　本願は、平成７年１月３１日に出願されたものであって、その請求項１に係る発明（以下、「本願発明」という。）は、平成１４年１月１５日付けの手続補正書によって補正された明細書及び図面の記載からみて特許請求の範囲の請求項１に記載された次のとおりのものと認める。
　
「搬送される感光材料の感光領域に、感光材料の移動に同期して所定の副画像を焼き込むように構成された写真焼付装置において、
　複数のドットが配列されたライン露光手段と、
　各ドット毎の各発光体の発光を制御する発光制御手段と、
　感光材料の搬送に同期して前記発光制御手段による各発光体の制御タイミングを制御するタイミング制御手段とを備え、
　前記ライン露光手段は、各発光体毎に１本づつの光ファイバーが配設され、これらの光ファイバーを経由して別々に供給されるＲ，Ｇ，Ｂの三色の光を結合する結合器と、　結合器で結合された光が供給される露光ヘッドとから構成されている
ことを特徴とする写真焼付装置。」
　
【２】先願明細書に記載されている発明
　
　これに対し、原査定の拒絶の理由に引用した、本願の出願の日前の他の出願であって、その出願後に出願公開された特願平６−１６５９０号（特開平７−２２５４３３号公報参照）の願書に最初に添付した明細書及び図面（以下、「先願明細書」という。）には、図面と共に以下の記載事項がある。
　
ａ．「【請求項１】写真フイルムに記録された写真画像を感光材料に焼付露光する主画像焼付手段と、前記感光材料の移送中に、感光材料の搬送方向に交差する方向を主走査方向として配置された焼込みヘッドにより、感光材料の移送を副走査として、文字、記号、図形等の表示により構成されるパターン画像を主写真画像内に焼付露光するパターン画像焼付手段とを備えた写真焼付装置において、前記焼込みヘッドを、多数本の光ファイバの一端を１列に並べて構成し、各光ファイバの他端にこの光ファイバに三色光を入射する発光素子を配置したことを特徴とする写真焼付装置。
　
【請求項２】写真フイルムに記録された写真画像を感光材料に焼付露光する主画像焼付手段と、前記感光材料の移送中に、感光材料の搬送方向に交差する方向を主走査方向として配置された焼込みヘッドにより、感光材料の移送を副走査として、文字、記号、図形等の表示により構成されるパターン画像を主写真画像内に焼付露光するパターン画像焼付手段とを備えた写真焼付装置において、第１の光ファイバの光入射端部に赤色発光素子を配置し、第２の光ファイバの光入射端部に緑色発光素子を配置し、第３の光ファイバの光入射端部に青色発光素子を配置し、これら各光ファイバの光射出端部を１まとまりにして１ドットを形成するバンドルを構成し、これらバンドルを多数個設け、これらバンドルの光射出端部を１列に並べて前記焼込みヘッドを構成したことを特徴とする写真焼付装置。」
　
ｂ．「【０００１】【産業上の利用分野】本発明は写真焼付装置に関し、特に写真フイルムに記録された写真画像内に、文字，記号，図形等で構成されるパターン画像を焼き込むようにした写真焼付装置に関するものである。」
　
ｃ．「【００１４】【実施例】図１は、本発明を実施した写真焼付装置を示す概略図であり、機枠内に、その下部で水平方向にフイルム搬送部１１が配置されている。また、機枠の上部には、水平方向でペーパー搬送部１２が配置されている。これらフイルム搬送部１１とペーパー搬送部１２との間には、垂直方向で主画像焼付手段としてのプリント部１３が配置されている。また、プリント部１３のペーパー送り方向の下流側にはパターン画像焼付部１４が配置されている。
　
【００１５】フイルム搬送部１１は、ロール形態に巻き取られたネガフイルム１５をフイルム送りローラ対１６によりコマ送りして、プリント対象コマをフイルムキャリア１７の露光開口１８にセットする。また、焼付露光に供されたネガフイルム１５はコマ送りによりロール形態で巻き取り収納される。
　
【００１６】プリント位置にセットされたコマは、プリント部１３によりペーパー搬送部１２のカラーペーパー２０に焼付露光される。光源部２１は、ランプ２２，カットフイルタ部２３，拡散箱２４から構成されており、ネガフイルム１５のプリント対象コマを照明する。カットフイルタ部２３は三色光のカットフイルタ２５〜２７を備えており、露光量に達した色は該当するカットフイルタが焼付光路２８に挿入されることによりカットされ最適な露光量で焼付露光されるようになっている。プリント対象コマを透過した光は、シャッタ駆動部２９によりシャッタ３０が開いた時にズームレンズからなる焼付レンズ３１によりカラーペーパー２０に結像される。」
　
ｄ．「【００２０】図１に示すように、前記パターン画像焼付部１４は、焼込みヘッド４０と、発光部４１と、ドライバ４２と、プリントコントローラ４３とから構成されている。図２に示すように、焼込みヘッド４０はヘッドシフト機構４４により、カラーペーパー２０の幅方向で平行移動する。ヘッドシフト機構４４は、焼込みヘッド４０をカラーペーパー２０の幅方向に移動自在に案内するガイド部と、焼込みヘッドに固定される無端ベルトと、これを回動して所定位置で焼込みヘッドを停止させるモータとから構成されている。なお、無端ベルトの他に、送りネジ棒の回動によりカラーペーパー２０の幅方向に焼込みヘッド４０を平行移動させるようにしてもよい。
　
【００２１】図３に示すように、焼込みヘッド４０は、本実施例では、１６本の光ファイバ４５の光射出端部４５ａを１列に並べるようにヘッド枠４６で保持したものであり、これにより主走査方向に１６ドットを記録することができる。したがって、１文字が例えば１６×１６ドットで記録される。前記光ファイバ４５としてはグラスファイバー，プラスチックファイバが用いられ、例えば直径が０．５mmのものを用いると、１６ドットの場合には８mm幅の文字が記録される。また、カラーペーパー２０と焼込みヘッド４０との間に縮小光学系を組み込み、文字の大きさを縮小してもよい。
　
【００２２】各光ファイバ４５の光入射端部４５ｂには、発光部４１が接続されている。発光部４１は、保持枠４７（図４参照）内に、１本の光ファイバ４５に対し赤，緑，青色の３個の発光ダイオード５０，５１，５２を配置して構成されており、各光ファイバ４５の入射端部４５ｂに三色光の混色光を入射する。なお、本実施例では保持枠４７内に単に各発光素子５０，５１，５２を配置しただけであるが、各発光素子５０〜５２と光ファイバ４５との間に集光レンズを配置したり、集光レンズ付きの光ファイバを用いて、集光性を向上させてもよい。
　
【００２３】発光部４１の各発光ダイオード５０〜５２は、図４に示すように、ドライバ４２を介してプリントコントローラ４３により制御される。プリントコントローラ４３は文字フォントのデータや図形，イラストデータと、色指定データとをドライバ４２に送り、このドライバ４２で各発光ダイオード５０〜５２を駆動する。」
　
ｅ．「【００３４】図４に示すように、プリントコントローラ４３のメモリ６０には、焼込み文字データが書き込まれており、タイミング制御部６２からのクロックＣ１により、先ず最初の文字データが読み取られてキャラクタジェネレータ６５に送られる。そして、ペーパー送りに同期してキャラクタジェネーレータ６５から１ライン分ずつ焼込みデータが読みだされ、これに基づきドライバ４２を介して発光部４１の各発光ダイオード５０〜５２が駆動される。また、メモリ６０から読みだされた文字色データにより色データ発生部６７は発光ダイオード５０〜５２の選択信号をドライバ４２に送る。これにより、各文字が指定された色となるように焼付露光される。また、図形やイラスト文字の場合には、これらデータがフレームメモリ６１に記録され、カウンタ６４で指定されたラインのドット信号がペーパーの送りに同期して１ライン分ずつ読み取られ、これに基づき発光部４１の各発光ダイオード５０〜５２が駆動される。」
　
ｆ．「【００３７】なお、上記実施例では、１ドットを記録する発光素子として、１本の光ファイバを用いたが、この他に、図７に示すように、細い径からなる多数本の光ファイバ７０を束ねたバンドル７１を用いて焼込みヘッド６９を構成してもよい。この場合に、光ファイバ７０を３組に分けて、分岐バンドル７１ａ，７１ｂ，７１ｃとし、これの光入射端部に赤，緑，青色の発光ダイオード５０〜５２を配置する。なお、第１実施例と同一構成部材には同一符号を付して、その説明を省略している。また、多数の光ファイバを３組に分ける他に、接続アダプタを用いてもよい。」
　
　以上の各記載から、少なくとも以下のことが明らかである。
　
（１）感光材料の「感光領域」について、先願明細書中に格別の記載はないが、上記記載ａ〜ｃ（及び図１，図６）から、カラーペーパー２０からなる感光材料において、主画像やパターン画像が焼付露光される場所を有しており、該場所が感光領域であることは自明であり、先願明細書中にも本願発明における「感光領域」が実質的に記載されていると言える。
　
（２）Ｒ，Ｇ，Ｂ三色の発光体からなる複数のドットが配列された「ライン露光手段」について、先願明細書中に格別の記載はないが、上記記載ｄ（及び図３）から、赤、緑、青色の３個の発光ダイオードからなる複数の発光部４１が配列されていることから、先願明細書中にも本願発明における「ライン露光手段」が実質的に記載されていると言える。
　
（３）記載ｄの段落００２２の欄（及び図３）から、各発光ダイオード毎に１本ずつ光ファイバが配設されて光ファイバ４５に集光してもよいことが示されている。
　
　以上のことから、上記先願明細書には、少なくとも
　
「移送されるカラーペーパー２０の感光領域に、感光材料の移動に同期して文字、記号、図形等の表示により構成されるパターン画像Ｐ２を焼き込むように構成された写真焼付装置において、
　複数の発光部４１が配列されたライン露光手段と、
　各発光部４１毎の各発光ダイオード５０〜５２の発光を制御するプリントコントローラ４３と、
　感光材料の移送に同期して前記プリントコントローラ４３による各発光ダイオードの制御タイミングを制御するタイミング制御部６２とを備え、
　前記ライン露光手段は、各発光ダイオード５０〜５２毎に１本ずつ光ファイバが配設され、これらの光ファイバを経由して別々に供給される赤、緑、青色の三色の光が供給される焼込みヘッド４０とから構成されていることを特徴とする写真焼付装置。」に関する発明が記載されているものと認められる。
　
【３】本願発明と先願明細書に記載されている発明との対比・判断
　
　本願発明と上記先願明細書に記載されている発明とを対比すると、上記先願明細書に記載されている「移送」、「カラーペーパー２０」、「文字、記号、図形等の表示により構成されるパターン画像Ｐ２」、「発光部４１」、「各発光ダイオード５０〜５２」、「プリントコントローラ４３」、「タイミング制御部６２」、「光ファイバ」及び「赤、緑、青色の三色」は、本願発明の「搬送」、「感光材料」、「所定の副画像」、「ドット」、「各発光体」、「発光制御手段」、「タイミング制御手段」、「光ファイバー」及び「Ｒ，Ｇ，Ｂの三色」に相当することは明らかである。
　
　したがって、両者は、以下の一致点及び一応の相違点を有する
　
＜一致点＞
「搬送される感光材料の感光領域に、感光材料の移動に同期して所定の副画像を焼き込むように構成された写真焼付装置において、
　複数のドットが配列されたライン露光手段と、
　各ドット毎の各発光体の発光を制御する発光制御手段と、
　感光材料の搬送に同期して前記発光制御手段による各発光体の制御タイミングを制御するタイミング制御手段とを備え、
　前記ライン露光手段は、各発光体毎に１本づつの光ファイバーが配設され、これらの光ファイバーを経由して別々に供給されるＲ，Ｇ，Ｂの三色の光が供給される露光ヘッドとから構成されている
ことを特徴とする写真焼付装置。」
　
＜相違点＞
　Ｒ，Ｇ，Ｂの三色の光を露光ヘッドに供給する際、本願発明では、該三色の光を結合する結合器を用いているのに対して、上記先願明細書に記載された発明ではこの点が明記されていない点。
　
＜相違点についての判断＞
　上記先願明細書においても、複数の光ファイバを束ねる際、「図７に示すように、細い径からなる多数本の光ファイバ７０を束ねたバンドル７１を用いて焼込みヘッド６９を構成してもよい。・・・また、多数の光ファイバを３組に分ける他に、接続アダプタを用いてもよい。」（段落００３７）と記載されているように複数の光ファイバを１カ所にまとめる点、及びまとめる手段として接続アダプタについて言及されており、該接続アダプタが本願発明における結合器に相当するものと認められ、上記相違点は実質的なものではない。
　
【４】むすび
　
　以上のとおりであるから、本願発明は上記先願明細書に記載された発明と同一であると認められ、しかも、本願発明の発明者が上記先願明細書に記載された発明の発明者と同一であるとも、また本願の出願の時に、その出願人が上記他の出願の出願人と同一であるとも認められないので、本願発明は、特許法第２９条の２の規定により特許を受けることができない。
　
　よって、結論のとおり審決する。